(57)【特許請求の範囲】
【請求項１】
複数個の液体バッグを収納し運搬するための箱であって、ダンボール製の天板、底板、前側板、後側板、左側板及び右側板を含み前側板、後側板、左側板及び右側板はそれぞれ天板を形成するための上フラップと結合され、天板は、それぞれ左側板及び右側板の上方谷線に沿って折り曲げた第１の対の上フラップ上に、それぞれ前側板及び後側板の上方谷線に沿って折り曲げた第２の対の上フラップを重ね、第２の対の上フラップの互いに平行の端縁を接着テープにより結合し封緘して形成され、各側板の上方谷線はほぼ同一平面状に配置され、前記各上フラップは、その略全面を所定の厚みまで押しつぶしたことを特徴とする箱。
【請求項２】
複数個の液体バッグを収納し運搬するための箱であって、ダンボール製の天板、底板、前側板、後側板、左側板及び右側板を含み前側板、後側板、左側板及び右側板はそれぞれ天板を形成するための上フラップと結合され、天板は、それぞれ左側板及び右側板の上方谷線に沿って折り曲げた第１の対の上フラップ上に、それぞれ前側板及び後側板の上方谷線に沿って折り曲げた第２の対の上フラップを重ね、第２の対の上フラップの互いに平行の端縁を接着テープにより結合し封緘して形成され、各側板の上方谷線はほぼ同一平面状に配置され、前記各上フラップは上方谷線及び上方谷線に垂直の２つの端縁に沿って所定幅の押しつぶし部を含むことを特徴とする箱。
【請求項３】
前記前側板及び後側板と結合される各上フラップ上の上方谷線(185、165)に沿う押し潰し部は、前記左側板(22)及び右側板(24)と重なる範囲に設けられることを特徴とする請求項２に記載の箱。
【請求項４】
互いに隣接する２つの上フラップの間の切り込み深さ(D)が上方谷線から下方へ向かって段ボール紙の厚さ(t)の１０％ないし６０％であることを特徴とする請求項２に記載の箱。
【請求項５】
互いに隣接する２つの上フラップの間の切り込み深さ(D)が上方谷線から下方へ向かって段ボール紙の厚さ(t)の１０％ないし６０％であり、前側板及び後側板にそれぞれ結合される各上フラップの上方谷線に平行の端縁から上方谷線までの縦寸法(H)が左又は右側板の辺長の半分(0.5F)より段ボール紙の厚さ(t)の５％ないし５０％だけ短いことを特徴とする請求項２ないし４のいずれか１項に記載の箱。
【請求項６】
前記前側板後側板、左側板及び右側板はそれぞれ底板を形成するための下フラップと結合され、底板は、それぞれ左側板及び右側板の下方谷線に沿って折り曲げた第１の対の下フラップに、それぞれ前側板及び後側板の下方谷線に沿って折り曲げた第２の対の下フラップの互いに平行の端縁を接着テープにより結合し、封緘して形成され、各側板の下方谷線はほぼ同一平面状に配置され、前期各下フラップは下方谷線に垂直の２つの端縁に沿って所定幅の押し潰し部を含むことを特徴とする請求項２ないし５のいずれか１項に記載の箱。
【請求項７】
互いに隣接する２つの下フラップの間の切り込み深さが下方谷線から上方へ向かって段ボール紙の厚さの１０％ないし６０％とされ、前側板及び後側板にそれぞれ結合される各下フラップの下方谷線に平行の端縁から下方谷線までの立て寸法(K)が左又は右側板の辺長の半分(0.5F)より段ボール紙の厚さの５％ないし５０％だけ短いことを特徴とする請求項２ないし６のいずれか１項に記載の箱。
【請求項８】
前記段ボールはダブルフルートの構造を有し、その厚さ(t)は約８ｍｍであることを特徴とする請求項２ないし７のいずれか１項に記載の箱。
【発明の詳細な説明】
【技術分野】
【０００１】
本発明は、輸液等を収容した液体バッグを複数個収納して運搬するための液体バッグ収納用の箱に関する。
【背景技術】
【０００２】
医療施設においては、点滴により人体に栄養を供給する高カロリー薬液が多量使用される。このような高カロリー薬液を収容した液体バッグは、多くの場合、薬液を２種類以上収容するための複数の室を備えているものが多い。例えば、薬液を２種類収容する２つの室を備えたダブルバッグ型の液体バッグとしては、図７Ａ及び図７Ｂに示すように、重なり合う柔軟なシート８２をサイドシール部８３、ボトムシール部８４により密封した柔軟なバッグ内を剥離可能な隔壁８５により複数の室８６、８７に仕切り、各室に異なる薬剤Ｐ、Ｎを分離収納し、使用時にバッグの外部から圧力を加えて隔壁８５を剥離させ開封し、薬剤Ｐ、Ｎを混合させる形態、即ち、使用時混合型液体（薬液）バッグ８０の形態を取る。
【０００３】
液体バッグ８０の一方の端に室内から液体を排出する排出口８８が設けられ、他方の端に懸垂口８９が設けられる。排出口８８は、ゴム栓９０、キャップ９１、隔膜９２、フィルム９３等を備える。このような高カロリー輸液に代表される液体バッグは、例えば特許文献１に開示されるように、ガス遮断性能の高いフィルムで外包装された後、複数個ずつ段ボール箱に収納し運搬される。この時、薬液バッグに力がかからないよう、全て段ボール箱にて荷重を支える必要がある。
【特許文献１】特開２０００−１２８１５０号公報
【０００４】
高カロリー輸液に代表される複数個の大容量液体バッグを段ボール製の収納運搬箱に収納して運搬する際に、収納運搬用の箱が液体バッグの自重により破損されることがある。これを防止するため、液体バッグの収納運搬用の箱は、ダブルフルートで、なおかつ硬い材質の段ボール紙により作られ、高強度にされるが、この際、コストが安価で且つ標準的なフレキソフォルダーグルアー機（ＦＦＧ機）にて作られた溝切り形段ボール箱を使う事が望ましい。
【発明の開示】
【発明が解決しようとする課題】
【０００５】
しかしながら、このような従来のフレキソフォルダーグルアーにて作られた溝切り形段ボール箱は、フラップの折り曲げ線が内側のフラップのそれと外側のフラップのそれが同一線上にあるため、液体バッグを段ボール箱に収納し、天板又は底板を形成するフラップを折り曲げる時、内側のフラップと外側のフラップが相互に干渉するために反発力が強くなり、折り曲げられたフラップの端縁を粘着テープにより封緘する際に、フラップが粘着テープによる粘着に抗して開いてしまうという課題があった。
【０００６】
また箱を構成するダブルフルート紙が硬いので、フラップを折り曲げるときに箱のコーナー部分に大きな応力が作用し、割れが生じる等の課題もあった。更にダブルフルート紙は厚みが厚いので、粘着テープで天面又は底面から側面に折れ曲がる部分を貼付すると、その後の運搬工程で段ボール紙が潰れた時にテープがたるんでしまうという課題があった。この結果、封緘不良による改ざんの恐れ、虫や異物の混入、テープたるみによる外観不良が発生する。
【０００７】
これらの事象を解決しながら製函する方法として、フレキソフォルダーグルアー機（ＦＦＧ機）による製函ではなく、抜き型方式による製函も考えられる。つまり、抜き型方式にすると内フラップの折り曲げ線と外フラップの罫線の位置を変えられるため、それぞれのフラップの干渉が避けられ、フラップの反発が軽減される。しかし、抜き型方式は製造工程が多く、また廃棄する段ボール紙が発生するという課題があり、高コストでかつ環境保護の観点から好ましくなく、廃棄段ボール紙の発生しないフレキソフォルダーグルアー機による溝切り形ダンボール箱の製造が求められていた。
【０００８】
本発明の目的は、従来の段ボール紙製の液体バッグ収納運搬用の箱の課題を解決することにあり、液体バッグ収納運搬用の箱の強度の減少を最少にしながら、天板又は底板を形成するフラップの折り曲げに対する抵抗力又は反発力を減少させ、粘着テープにより天板及び底板を安定して封緘することができ、運搬時にフラップの反発力により粘着テープによる封緘が破られることのない液体バッグ収納運搬用の箱を提供することである。
【０００９】
また、本発明の目的は、フラップの折り曲げによる箱のコーナー部分の応力を減少させ、割れの発生を防止することができる液体バッグ収納運搬用の箱を提供することである。また、本発明の目的は、液体バッグ収納運搬用の箱の天板又は底板が中膨れとなり積み重ねが不安定になる等の、段ボール紙の重なり部分の厚さの増大により生じる問題を解消することにある。
【００１０】
また、本発明の目的は、上記の課題を解決する方法に対して、従来より廃棄物の少ない段ボール箱を安価に製造する方法であるＦＦＧ機（フレキソ印刷をし、折り畳み、糊付けする機械）による工程によって、製函することを目的としている。
【課題を解決するための手段】
【００１１】
上記の目的を達成するために、本発明によれば、複数個の液体バッグを収納し運搬するための箱であって、ダンボール製の天板、底板、前側板、後側板、左側板及び右側板を含み前側板、後側板、左側板及び右側板はそれぞれ天板を形成するための上フラップと結合され、天板は、それぞれ左側板及び右側板の上方谷線に沿って折り曲げた第１の対の上フラップ上に、それぞれ前側板及び後側板の上方谷線に沿って折り曲げた第２の対の上フラップを重ね、第２の対の上フラップの互いに平行の端縁を接着テープにより結合し封緘して形成され、各側板の上方谷線はほぼ同一平面状に配置され、前記各上フラップは、その略全面を所定の厚みまで押しつぶされた押しつぶし部とされることを特徴とする箱が提供される。
【００１２】
本発明によれば、複数個の液体バッグを収納し複数個の液体バッグを収納し運搬するための箱であって、ダンボール製の天板、底板、前側板、後側板、左側板及び右側板を含み前側板、後側板、左側板及び右側板はそれぞれ天板を形成するための上フラップと結合され、天板は、それぞれ左側板及び右側板の上方谷線に沿って折り曲げた第１の対の上フラップ上に、それぞれ前側板及び後側板の上方谷線に沿って折り曲げた第２の対の上フラップを重ね、第２の対の上フラップの互いに平行の端縁を接着テープにより結合し封緘して形成され、各側板の上方谷線はほぼ同一平面状に配置され、前記各上フラップは上方谷線及び上方谷線に垂直の２つの端縁に沿って所定幅の押しつぶし部を含むことを特徴とする箱が提供される。
【００１３】
前記前側板及び後側板と結合される各上フラップ上の上方谷線(185、165)に沿う押し潰し部は、前記左側板(22)及び右側板(24)と重なる範囲に設けられればよい。
【００１４】
また、互いに隣接する２つの上フラップの間の切り込み深さ(D)が上方谷線から下方へ向かって段ボール紙の厚さ(t)の１０％ないし６０％であれば良い。
【００１５】
互いに隣接する２つの上フラップの間の切り込み深さ(D)が上方谷線から下方へ向かって段ボール紙の厚さ(t)の１０％ないし６０％であり、前側板及び後側板にそれぞれ結合される各上フラップの上方谷線に平行の端縁から上方谷線までの縦寸法(H)が左又は右側板の辺長の半分(0.5F)より段ボール紙の厚さ(t)の５％ないし５０％だけ短く形成されれば良い。
【００１６】
前記前側板後側板、左側板及び右側振はそれぞれ底板を形成するための下フラップと結合され、底板を形成するための下フラップと結合され、底板は、それぞれ左側板及び右側板の下方谷線に沿って折り曲げた第１の対の下フラップに、それぞれ前側板及び後側板の下方谷線に沿って折り曲げた第２の対の下フラップの互いに平行の端縁を接着テープにより結合し、封緘して形成され、各側板の下方谷線はほぼ同一平面状に配置され、前期各下フラップは下方谷線に垂直の２つの端縁に沿って所定幅の押し潰し部を含むように形成されれば良い。
【００１７】
互いに隣接する２つの下フラップの間の切り込み深さが下方谷線から上方へ向かって段ボール紙の厚さの１０％ないし６０％とされ、前側板及び後側板にそれぞれ結合される各下フラップの下方谷線に平行の端縁から下方谷線までの立て寸法(K)が左又は右側板の辺長の半分(0.5F)より段ボール紙の厚さの５％ないし５０％だけ短く形成されれば良い。また、前記段ボールはダブルフルートの構造を有し、その厚さ(t)は約８ｍｍであればよい。
【発明の効果】
【００１８】
本発明の箱によれば、液体バッグ収納運搬箱の強度の減少を最少にしながら、天板又は底板を形成するフラップの折り曲げに対する抵抗力又は反発力を減少させ、且つ粘着テープにより天板等及び底板を安定して封緘することができ、運搬時に反発力により粘着テープによる封緘が破られることのない液体バッグ収納運搬用の箱を提供することが可能になる。
【００１９】
また、フラップの折り曲げによる箱のコーナー部分の応力を減少させ、割れの発生を防止できる液体バッグ収納運搬用の箱をすることが可能になる。そして、天板又は底板が中膨れとなり積み重ねが不安定となるなどの段ボール紙の重なり部分の厚さの増大により生じる問題を解消することが可能になる。さらに、こうした液体バッグ収納運搬用の箱を、従来より廃棄物の少ない段ボール箱を安価に製造できるＦＦＧ機によって、製函することが可能になる。
【発明を実施するための最良の形態】
【００２０】
以下、本発明の実施の形態について、図面を交えて説明する。図１は、本発明の実施の形態の液体バッグ収納運搬用の箱８の天板を開いた状態での斜視図であり、図２は、液体バッグ８０を７個収納した図１の液体バッグ収納運搬用の箱８の概略垂直図（前側面及び後側面に平行な断面における断面図）である。図２は、液体バッグ８０（図７Ａ及び図７Ｂ）が隔壁８５付近で折り曲げられ外装袋に入れられ、交互にずらせて重ねた状態で７個収容された箱８の垂直断面を示す。図３は、粘着テープ３１を箱８の天板に貼着中の箱８の斜視図である。図４は、図１の液体バッグ収納運搬用の箱８を形成するための段ボール紙の概略展開図である。
【００２１】
図１に示すように、液体バッグ収納運搬用の箱８は、段ボール製の前側板１６、後側板１８、左側板２２及び右側板２４を含み、それらの４つの側板は、それぞれ天板（蓋）を形成するための４枚の上フラップ１６１、１８１、２２１、２４１と結合され、これらは、ダブルフルート構造の段ボール紙製である。
【００２２】
図３は、本発明の実施の形態の液体バッグ収納運搬用の箱８の天板を閉じた状態の斜視図である。図３において、液体バッグ収納運搬用の箱８は、天板１２の外側を構成する上フラップ１６１、１８１が折り曲げられ、両上フラップの互いに平行の端縁１６３、１８３が粘着テープロール３０から繰り出された粘着テープ３１により端縁の途中まで結合され、封緘された状態が示される。図１から明らかなように、天板１２は、最初に上フラップ（内フラップ）２２１及び２４１が折り曲げられ、その上へ上フラップ（外フラップ）１６１、１８１が折り曲げられて形成される。
【００２３】
天板１２の全体は、箱８の中へ図２に示すように複数の液体バッグ８０を入れた後、４枚の上フラップ２２１、２４１、１６１、１８１を上方谷線１６５、１８５、２４５（図１においてフラップ２２１の上方谷線は図示されていない）の周りに折り曲げ、外側となるフラップ１６１、１８１の端縁１６３、１８３に沿って図３に示すように粘着テープ３１で封緘することにより形成される。
【００２４】
詳細には、天板１２は、それぞれ左側板２２及び右側板２４の上方谷線２２５、２４５に沿って上フラップ２２１、２４１を折り曲げ、その上に、それぞれ前側板１６及び後側板１８の上方谷線１６５、１８５に沿って上フラップ１６１、１８１を折り曲げて重ね、図３に示すように、第２の対の上フラップ１６１、１８１の互いに平行の端縁１６３、１８３を跨いで接着テープ３１を貼着し、両端縁の間を封緘して形成される。図１において、左側板２２及び右側板２４は、それぞれの上方中央部に手掛かり用の長孔２３、２５を備える。図２において、箱８は、その内部へ７個の液体バッグ８０を横置きで収容する。横置きに変えて、特開２０００−１２８１５０号に示されるように、縦置きで収容することも可能である。
【００２５】
図４は、図１の液体バッグ収納運搬用の箱８を形成するための箱素材８１の概略展開図である。この箱素材８１は１枚の段ボール紙から切り出されたものである。図５は、図４の要部拡大図である。図４に示すように、互いに隣接する２つの上フラップの間にきり込み部５１１、５３１、５５１が設けられる。図４の展開図のように、箱を形成する箱素材が１枚の段ボール紙から切り出され、且つ各フラップの強度が大となるように、きり込み部５１１、５３１、５５１は、一定の幅Ｇ（図５）を有する溝とされる。きり込み部５１１、５３１、５５１の幅Ｇは、段ボールの厚さｔの１０％以上であり、好適には、３．５ｍｍである。
【００２６】
図５（図４の部分拡大図）に示すように、互いに隣接する２つの上フラップ１８１、２４１の間の切り込み深さＤ（図5）は、上方谷線１８５（又は２４５）から下方へ向かって段ボールの厚さｔの１０％ないし６０％である。より具体的には、段ボール紙の厚さｔ＝８ｍｍの場合、折り曲げに対する反発力を減少させ、割れの発生を防止するため切り込み深さＤは、約１ｍｍ以上が必要であり、箱の外観において空隙が見えないようにするため切り込み深さしＤは、約４ｍｍ以下とすることが必要である。
【００２７】
図４に示すように、前側板１６及び後側板１８にそれぞれ結合される上フラップ（外フラップ）１６１、１８１は、それぞれ上方谷線１６５、１８５に沿って折り曲げられ天板を形成するとき、それらの端縁１６３、１８３が衝合して形成される天板の寸法が、対応する左又は右側板の辺長Ｆ（図4）と同一又は僅かに短くなり、端縁１６３、１８３の交差したり山形を形成したりすることがないようにされる。即ち、端縁１６３、１８３から上方谷線１６５、１８５までの縦寸法Ｈは、左又は右側板の辺長（図4）の半分（０．５Ｆ）より段ボールｔの厚さの５％ないし３０％だけ短く、即ち、Ｈ＝０．５Ｆ−ｔ（５〜３０％）とされる。
【００２８】
液体バッグ収納運搬用の箱８は、重量の大きな液体バッグを安全に収納運搬するために大きな強度を必要とする。そのため箱を形成する段ボール（箱素材８１）は、図６の断面に示すように、ダブルフルート構造を有し、単層のものより厚さｔが大きなものが好適である。しかしながら、段ボールの厚さｔが大きい場合、積み重ねの生じる構造部分の厚さが大きくなり、そのため、フラップ部分の反発力が大きくなり、粘着テープによる封緘部分を開放させたり、コーナー部分に割れを生じるおそれがある。
【００２９】
そのような問題を解決するため、各上フラップは箱の強度に影響しない部分において箱素材の厚さｔを減少させる。箱素材の厚さｔを減少させた部分は、箱素材の厚さをコルクを使用して押し潰した押し潰し部により形成される。
【００３０】
好適には、各上フラップ１６１、１８１、２２１、２４１は、それぞれ上方谷線に沿う押し潰し部及び上方谷線に垂直の２つの端縁に沿う押し潰し部を含む。各押し潰し部はそれぞれ所定の幅を有する。上フラップ１８１の押し潰し部１８１２と１８１４の間の非押し潰しの部分は、上フラップ２２１及び２４１に重ならない部分である。
【００３１】
上フラップ１８１の押し潰し部１８１２と上フラップ２４１の押し潰し部２４１３は、重要な押し潰し部である。即ち、上フラップ２４１を折り曲げその外側へ上フラップ１８１を折り曲げたときに干渉する部分であり、これらが競り合って外側の上フラップ１８１を押し広げる作用が生じる。それ故、これらの押し潰し部１８１２、２４１３の厚みを薄くすることにより競り合う度合い、即ち外側の上フラップを押し広げる作用を和らげることができる。押し潰し部１８１２の横長さＬは、上フラップ２４１の縦寸法Ｈ以上（Ｌ≧Ｈ）であることが必要である。押し潰し部１８１４と２２１１も同様の関係にある。更に上フラップ１６１の押し潰し部に関係し同様の状況がある。
【００３２】
上フラップ１８１の側縁の押し潰し部１８１１と上フラップ２４１の上方谷線に沿う押し潰し部２４１２は、箱の天板を組立たときに重なった両者に隣接する角の部分を薄くし、粘着テープの側板に沿う部分（図３の符号３２）の接着長さが増し、剥がれを防止するのに有効である。もし押し潰し部１８１１及び１８１３が潰れていない状態（厚さｔ＝８ｍｍ）で粘着テープを貼ると、その後のパレット積みにより上から荷重がかかり、箱の段ボール紙が潰れて厚さｔが小さくなり、粘着テープがたるんで見苦しくなるが、押し潰し部１８１１及び２４１２を設けることにより、粘着テープのたるみを防止することが可能になる。
【００３３】
箱８の底板の下フラップ１８２、２４２等に関しても同様の関係が存在する。底板における押し潰し部は、（Ａ）内フラップと外フラップ（箱の内側へ位置されるフラップと外側へ位置されるフラップ）の競り合いを防ぐ、（Ｂ）側面における粘着テープの接着長さを増加する、（Ｃ）圧縮荷重（重力）等により段ボール紙が潰れて粘着テープがたるむのを防ぐ目的を有する。これらの目的で、底面フラップも天板と同様に押し潰し部を設ける方が良い。
【００３４】
しかし、底板においては、次の理由で押し潰し部を少なくしている。第１に、押し潰し部は、ＦＦＧ機械（フレキソ印刷をし、折り畳み、糊付けする機械）で行うが、この場合、押し潰し圧力に限界があり、押し潰し面積が増大するに伴い単位面積当たりの押し潰し圧力が下がり、押し潰しが不十分になる。それ故、底板の押し潰し部については、重要度の高い上記（Ｃ）を優先している。
【００３５】
即ち、図４に示すように、底板に関しては、外側となる下フラップ１６２、１８２の側縁に沿う押し潰し部１６２１、１６２３、１８２１、１８２３を優先して設けている。底板は、天板に比較し、自重により上から押さえつけられるので、基本的にフラップが開くことがないという好条件がある。
【００３６】
下フラップ１６２、１８２、２２２及び２４２を組み合わせて底板を形成するため、粘着テープの他に、ホットメルト付けを用いる。底面の粘着テープは、使用後の箱の解体を便利にするため、その中央にミシン目を設ける。図４の符号Ｒは、典型的なホットメルト付けの個所を示す。ホットメルトは強力な接着力を有し、それのみで下フラップの開くのを防ぐことができるが、フラップの隙間からの異物混入（特に虫の混入）を防ぐため、粘着テープを貼っている。下フラップ２２２、２４２の端縁に沿って設けた押し潰し部２２４、２４４は、箱内部の段差を最少にする目的を有する。押し潰し部の寸法は、次の通り。
ア．Ｌ≧Ｈ
イ．ｕ＝ｔの４０％ないし９０％
ウ．Ｂ≧３０ｍｍ（例えば５０ｍｍ）
エ．Ｃ≧２０ｍｍ（例えば３０ｍｍ）
オ．Ｍ≧３０ｍｍ（基本的にＭ＝Ｂ）
【００３７】
図４、図５に示すように、上フラップ１８１は、上方谷線１８５に沿う押し潰し部１８１２、１８１４並びに上方谷線１８５に垂直の２つの端縁に沿う押し潰し部１８１１、１８１３を有する。上フラップ１６１は、上フラップ１８１と同様の押し潰し部を有する。上フラップ２４１は、上方谷線２４５に沿う押し潰し部２４１２並びに上方谷線２４５に垂直の２つの端縁に沿う押し潰し部２４１１、２４１３を有する。
【００３８】
上フラップ２２１は、上フラップ２４１と同様の押し潰し部を有する。上方谷線１８５に垂直の２つの端縁に沿う押し潰し部１８１１、１８１３の幅Ｍは、例えば約３０ｍｍである。他の上方谷線１６５、２２５、２４５に垂直の２つの端縁に沿う各押し潰し部の幅Ｍは、同様に約３０ｍｍである。
【００３９】
図６は、図５の押し潰し部１８１１の線６−６に沿う断面図であり、１枚のダブルフルート構造の段ボール紙からなる箱素材８１の押し潰し部１８１１の厚さｔ及びｕを拡大表示したものである。図６に示すように、押し潰し部１８１１は、上方谷線１８５に垂直の端縁に沿う幅Ｍを有し、図６に概略的に示すように、その一端においてダブルフルート構造の段ボール紙の通常部分の厚さｔを備え、他端の厚さがｕとされる。ｕは、ｔの４０％ないし９０％である。押し潰し部１８１１の幅Ｍは、例えば５０ｍｍである。上フラップ１８１は、上方谷線１８５に沿う押し潰し部１８１２、１８１４の幅Ｂ（図5）は、約５０ｍｍである。上方谷線２４５に沿う押し潰し部２４１２の幅Ｃ（図5）は、約３０ｍｍである。
【００４０】
箱８の底板は、４枚の下フラップ１６２、１８２、２２２、２４２により、天板１２とほぼ同様に形成される。即ち、底板は、それぞれ左側板２２及び右側板２４の下方谷線２２６、２４６に沿って折り曲げた第１の対の下フラップ２２２、２４２に、それぞれ前側板１６及び後側板１８の下方谷線１６６、１８６に沿って折り曲げた第２の対の下フラップ１６２、１８２を重ね、第２の対の下フラップ１６２、１８２の互いに平行の端縁を接着テープにより結合し封緘して形成される。また互いに隣接する２つの下フラップの間の切り込み深さが下方谷線から上方へ向かって（図４）段ボール紙の厚さｔの１０％ないし６０％とされる。
【００４１】
前側板１６及び後側板１８にそれぞれ結合される各下フラップ１６２の下方谷線１６６に平行の端縁１６４から下方谷線１６６までの縦寸法Ｋ（図４）が左又は右側板２２２、２４２の辺長Ｆ（図４）と同一又は僅かに短くされる。
【００４２】
なお、上述した実施形態においては、各上フラップ１６１、１８１、２２１、２４１には、それぞれ上方谷線に沿った押し潰し部と、上方谷線に垂直の２つの端縁に沿った押し潰し部が形成され、上フラップ２２１及び２４１に重ならない部分は非押し潰しの部分とされているが、これ以外にも、各上フラップのそれぞれをほぼ全面に渡って押し潰した押し潰した部としてもよい。各上フラップのほぼ全面を押し潰した部にすることによっても、上フラップの押し広げる作用を効果的に緩和することが可能になる。
【図面の簡単な説明】
【００４３】
【図１】図１は、本発明の実施の形態の液体バッグ収納運搬用の箱の天板を開いた状態の斜視図である。
【図２】図２は、７個の液体バッグを収納した図１の液体バッグ収納運搬用の箱の概略垂直断面図である。
【図３】図３は、本発明の実施の形態の液体バッグ収納運搬用の箱の天板を閉じた状態の斜視図である。
【図４】図４は、図１の液体バッグ収納運搬用の箱を形成する箱素材の概略展開図である。
【図５】図５は、図４の展開図の要部拡大図である。
【図６】図６は、図５の線６−６に沿う断面図であり、厚さｔ及びｕを拡大表示した断面図である。
【図７】図７Ａは、典型的な２液分離型の液体バッグの側面図、図７Ｂは図７Ａの線Ｘ−Ｘにおける断面図である。
【符号の説明】
【００４４】
８：液体バッグ収納運搬用の箱（箱）、１２：天板、１６：前側板、１８：後側板、２４：右側板、３０：粘着テープロール、３１：粘着テープ、８０：液体バッグ、８１：箱素材（段ボール紙）、１６１、１８１，２２１，２４１：上フラップ、１６２、１８２、２２２、２４２：下フラップ、１６３、１８３：端縁、１６５、１８５、２４５：上方谷線、１６６、１８６、２２６、２４６：下方谷線、１６８：ベロ、５１１、５３１、５５１：切り込み部、１８１１、１８１３、２４１２：押し潰し部、Ｃ：押し潰し部の幅、Ｄ、Ｊ：切り込み深さ、Ｇ：切り込み部の幅、Ｈ、Ｋ：縦寸法、Ｍ：押し潰し部の幅、Ｌ：長さ、Ｎ、Ｐ：薬液、Ｒ：ホットメルト部、ｕ：押し潰し部の段ボール紙の厚さ、ｔ：段ボール紙の厚さ。
【図１】
0004631389.tif 000002
【図２】
0004631389.tif 000003
【図３】
0004631389.tif 000004
【図４】
0004631389.tif 000005
【図５】
0004631389.tif 000006
【図６】
0004631389.tif 000007
【図７】
0004631389.tif 000008